(57)【要約】【課題】室内ユニットへの吸い込み温度を検出する温度センサーの取り付けが容易な壁掛け型空気調和装置を提供する。【解決手段】熱交換器２、ドレンパン３１、及び送風機４をフレーム３に組み付けて固定した壁掛け型空気調和装置１において、熱交換器２の側部に、熱交換器２の一次側と二次側とを仕切る仕切り部材２１を備え、この仕切り部材２１に開口２３を設け、この開口２３に、熱交換器２の一次側の吸い込み温度を検出する温度センサー１００を取り付ける。【選択図】図４
2011052837.tif 000002
【特許請求の範囲】
【請求項１】
熱交換器、ドレンパン、及び送風機をフレームに組み付けて固定した壁掛け型空気調和装置において、
前記熱交換器の側部に、前記熱交換器の一次側と二次側とを仕切る仕切り部材を備え、この仕切り部材に開口を設け、この開口に、前記熱交換器の一次側の吸い込み温度を検出する温度センサーを取り付けたことを特徴とする壁掛け型空気調和装置。
【請求項２】
前記仕切り部材には、前記熱交換器の側部において凝縮したドレン水を受けて、前記ドレンパンに導く水受け部を設けたこと、
を特徴とする請求項１に記載の壁掛け型空気調和装置。
【請求項３】
前記開口に着脱自在に挿入されるとともに、前記温度センサーを保持するセンサー保持部を備えたこと、
を特徴とする請求項１又は請求項２に記載の壁掛け型空気調和装置。
【請求項４】
前記センサー保持部は、前記温度センサーを保持すると共に前記開口に挿入される挿入部と、前記挿入部に連設されるとともに前記開口を塞ぐ蓋部とを有すること、
を特徴とする請求項３に記載の壁掛け型空気調和装置。
【請求項５】
前記熱交換器の側部に近接して前記温度センサーが接続される制御基板を収容する電装箱が配置されること、
を特徴とする請求項１〜４のいずれか一項に記載の壁掛け型空気調和装置。
【請求項６】
前記仕切り部材は、前記熱交換器の側部に一体に組み付けられて、熱交換ユニットを構成すること、
を特徴とする請求項１〜５のいずれか一項に記載の壁掛け型空気調和装置。
【発明の詳細な説明】
【技術分野】
【０００１】
本発明は、吸込温度センサーが設けられた壁掛け型空気調和装置に関する。
【背景技術】
【０００２】
従来、壁掛け型空気調和装置の室内ユニットには、室内ユニットに吸込まれた空気の温度を測定する吸込温度センサーが熱交換器に取り付けられている（例えば、特許文献１参照）。この吸込温度センサーは、例えば、熱交換器の側方に設けられる電装箱内の基板に接続される。また、熱交換器の内部で凝縮水が生成するのを防止するため、室内ユニットの内部で熱交換器の一次側と二次側とは仕切り部材により仕切られており、一次側の空気が熱交換器の二次側に流入しないようにされている。
【先行技術文献】
【特許文献】
【０００３】
【特許文献１】特開２００５−１８８８３４号公報
【発明の概要】
【発明が解決しようとする課題】
【０００４】
ところで、熱交換器の任意の場所に穴を開け、当該穴に吸込温度センサーを挿入して、熱交換器に吸込温度センサーを取り付けることが行われている。この場合、熱交換器に穴を開ける必要がある上に、一次側の空気が二次側に流入しないようにシール材により吸込温度センサーの周囲を塞ぐ必要があり、熱交換器に吸込温度センサーを取り付ける作業は煩雑であるとともに、取り付け位置等のバラツキが生じ易い作業となっていた。また、この様に熱交換器に吸込温度センサーを取り付けた場合、メンテナンス時等に、吸込温度センサーを取り外すのが困難であった。
本発明は、上述した事情に鑑みてなされたものであり、室内ユニットへの吸い込み温度を検出する温度センサーの取り付けが容易な壁掛け型空気調和装置を提供することを目的とする。
【課題を解決するための手段】
【０００５】
上記目的を達成するために、本発明の第一態様は、熱交換器、ドレンパン、及び送風機をフレームに組み付けて固定した壁掛け型空気調和装置において、前記熱交換器の側部に、前記熱交換器の一次側と二次側とを仕切る仕切り部材を備え、この仕切り部材に開口を設け、この開口に、前記熱交換器の一次側の吸い込み温度を検出する温度センサーを取り付けたことを特徴とする壁掛け型空気調和装置を提供する。
【０００６】
また、本発明の第二態様は、前記仕切り部材には、前記熱交換器の側部において凝縮したドレン水を受けて、前記ドレンパンに導く水受け部を設けたこと、を特徴とする。
【０００７】
また、本発明の第三態様は、上記第一態様又は第二態様において、前記開口に着脱自在に挿入されるとともに、前記温度センサーを保持するセンサー保持部を備えたこと、を特徴とする。
【０００８】
また、本発明の第四態様は、上記第三態様において、前記センサー保持部は、前記温度センサーを保持すると共に前記開口に挿入される挿入部と、前記挿入部に連設されるとともに前記開口を塞ぐ蓋部とを有すること、を特徴とする。
【０００９】
また、本発明の第五態様は、上記第一態様〜第四態様のいずれか一の態様において、前記熱交換器の側部に近接して前記温度センサーが接続される制御基板を収容する電装箱が配置されること、を特徴とする。
【００１０】
また、本発明の第六態様は、上記第一態様〜第五態様のいずれか一の態様において、前記仕切り部材は、前記熱交換器の側部に一体に組み付けられて、熱交換ユニットを構成すること、を特徴とする。
【発明の効果】
【００１１】
本発明によれば、熱交換器の一次側と二次側とを仕切る仕切り部材に設けられた開口に、熱交換器の一次側の吸い込み温度を検出する温度センサーを取り付けることとしたので、熱交換器に穴を開けたり、シール材により温度センサーの周囲を塞ぐ手間を省くことができ、室内ユニットへの吸い込み温度を検出する温度センサーの取り付けが容易である。
【図面の簡単な説明】
【００１２】
【図１】本実施の形態の壁掛け型空気調和装置の断面図である。
【図２】本実施の形態の壁掛け型空気調和装置の分解斜視図である。
【図３】本実施の形態の壁掛け型空気調和装置の要部斜視図である。
【図４】本実施の形態の壁掛け型空気調和装置の要部分解斜視図である。
【図５】本実施の形態のセンサー保持部を示す斜視図である。
【図６】本実施の形態のセンサー保持部に保持された温度センサーを示す斜視図である。
【発明を実施するための形態】
【００１３】
以下、図面を参照して本発明の実施形態について説明する。
図１は本発明を適用した実施の形態に係る壁掛け型空気調和装置１の断面図であり、図２は壁掛け型空気調和装置１の分解斜視図である。
壁掛け型空気調和装置１は、断面略Ｃ字状に形成されたフィンアンドチューブ型の熱交換器２をフレーム３に配設し、この熱交換器２の内側に送風機４を配置して構成され、熱交換器２にはグリル１０が被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部が形成されている。このフレーム３及びグリル１０によって壁掛け型空気調和装置１の筐体が構成される。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはビスキャップ１４により塞がれている。
【００１４】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
送風機４の一端にはファンモーター４６が連結され、ファンモーター４６が、軸受け４７を介してフレーム３に取り付けられている。より詳細に説明すると、送風機４の一端には、ファンモーター４６の出力軸が挿入される穴４１が設けられ、この穴４１に挿入されたファンモーター４６の出力軸は、送風機４の側面から螺入されるセットスクリュー４２によって、送風機４に固定される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１５】
グリル１０には上面吸込口１１及び前面吸込口１２が開口し、前面吸込口１２を覆うように前面パネル１６が取り付けられる。
送風機４は、上面吸込口１１及び前面吸込口１２から熱交換器２を介して室内空気を吸い込み、熱交換器２において熱交換された空気を、スクロール部３２と舌部４８との間の空間を通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１６】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする部材である。
【００１７】
以上の様に構成された、壁掛け型空気調和装置１において、熱交換器２の側方には、フィン２Ａから露出する冷媒配管部分２Ｂにおいて凝縮したドレン水を受けて、ドレンパン３１に流すための水受け２１が熱交換器２と一体に組み付けられて、熱交換ユニット２０を構成している。
以下、図３および図４を参照して、熱交換ユニット２０の構成について説明する。図３は、熱交換ユニット２０を示す斜視図であり、図４は分解斜視図である。
断面視断面略Ｃ字状に形成された熱交換器２の側面部には、熱交換器２の二次側に一次側の空気が流入しない様に、熱交換器２の一次側と二次側とを仕切る仕切り部材としての側壁部２２が設けられている。この側壁部２２と一体に水受け２１が設けられている。側壁部２２には、図３及び図４に示す様に、開口２３が形成されている。この開口２３内には温度センサー１００（図６参照）が熱交換器２の内部に挿入されるようにして取り付けられる。当該温度センサー１００は、熱交換器２の吸い込み温度を測定するためのものである。この温度センサー１００により、熱交換器２を通過した一次側の吸い込み温度が測定される。熱交換ユニット２０の側方には正面視において、高さ方向に縦長に構成された電装箱５５が配置されており、温度センサー１００は、この電装箱５５内に収容される制御基板（図示略）に接続される。
【００１８】
温度センサー１００は、図５および図６に拡大して示すセンサー保持部９０により保持されて、上記開口２３に着脱自在に挿入される。但し、図５は、センサー保持部９０単体を示す斜視図であり、図６は温度センサー１００を保持した状態のセンサー保持部９０を示す斜視図である。図５および図６に示す様に、センサー保持部９０は、温度センサー１００を保持すると共に上記開口２３に挿入される挿入部９１と、この挿入部９１に連設されるとともに側壁部２２に設けられた開口２３を塞ぐ蓋部９２とを有している。また、蓋部９２には、つまみ部９３が設けられている。作業者はつまみ部９３をつまんで、挿入部９１の側から開口２３にセンサー保持部９０を挿入させて、センサー保持部９０に保持された温度センサー１００を開口２３内に挿入して、取り付けることができる。
挿入部９１は、外枠体９１Ａと、外枠体９１Ａ内に蓋部９２と平行に設けられる内枠体９１Ｂとを備えている。この内枠体９１Ｂには、温度センサー本体１０１と、温度センサー本体１０１に接続されるリード線１０２とが挿入される挿入孔９１Ｃが形成されている。蓋部９２は、略矩形に形成された開口２３と略同形状に形成されている。蓋部９２には、温度センサー１００のリード線１０２が挿通されるリード線孔９２Ａが形成されている。挿入部９１の内枠体９１Ｂに形成された挿入孔９１Ｃと、蓋部９２に形成されたリード線孔９２Ａとは、孔が一直線上に配置されないように、位置を違えて設けられている。これにより、側壁部２２に設けられた開口２３が塞がれ、一次側の空気が熱交換器２の二次側に流入しないようにされている。蓋部９２には、リード線１０２が挿入されるリード線孔９２Ａが形成されている。また、挿入部９１の外枠体９１Ａには、センサー保持部９０を開口２３に着脱自在に係止するための係止部９４が設けられている。開口２３には、この係止部９４を受ける受部２４が形成されている。
【００１９】
以上説明した本実施の形態の壁掛け型空気調和装置１によれば、熱交換器２の側部に、熱交換器２の一次側と二次側とを仕切る側壁部２２には開口２３が設けられており、この開口２３に、熱交換器２の一次側の吸い込み温度を検出する温度センサー１００を取り付けるので、従来の様に、温度センサー１００を取り付けるために熱交換器２に穴を開ける必要がなく、温度センサー１００を容易に取り付けることができる。また、熱交換器２に作業者が穴を開ける場合と異なり、温度センサー１００を取り付ける際の取り付け位置等のバラツキを低減することができる。また、開口２３は、熱交換器２の一次側と二次側とを仕切る側壁部２２に設けられているので、従来の様に、熱交換器２の二次側に一次側の空気が流入しない様に、シール材により熱交換器２に開けられた穴を塞ぐ必要がなく、温度センサー１００を取り付ける手間を省力することができる。また、蓋部９２により、開口２３が塞がれており、かつ、係止部９４により着脱自在に開口２３に係止されているので、室内ユニット１Ａを設置した後であっても、温度センサー１００の取り付け、取り外しを容易に行うことができる。これにより、メンテナンス時等に温度センサー１００の交換が生じた場合でも、簡易に温度センサー１００を取り外して、新しい温度センサー１００を取り付けることができる。
また、熱交換器２の側方には電装箱５５が配置されるため、同じく熱交換器２の側方に配置される水受け２１の側壁部２２に設けられた開口２３に温度センサー１００を挿入して取り付けることにより、電装箱５５内に収容された制御基板に接続するための温度センサー１００のリード線１０２を短くすることができる。
【００２０】
但し、上記実施の形態は、本発明の一態様であり、本発明の趣旨を逸脱しない範囲において適宜変更可能であるのは勿論である。
例えば、上記実施の形態では、センサー保持部９０には、挿入部９１の片側に係止部９４を一つ設ける構成としたが、他の側に同様な形状の係止部を設けてもよい。挿入部９１の両側に係止部をそれぞれ設けることにより、側壁部２２に設けられた開口２３に対してセンサー保持部９０を挿入する際にいずれか一方の側に片寄るのを防止することができる。これにより、温度センサー１００の取り付けがより容易になる。
【符号の説明】
【００２１】
１  壁掛け型空気調和装置
１Ａ  室内ユニット
２  熱交換器
３  フレーム
４  送風機
２０  熱交換ユニット
２１  水受け（水受け部）
２２  側壁部（仕切り部材）
２３  開口
３１  ドレンパン
９０  センサー保持部
９１  挿入部
９２  蓋部
９４  係止部
１００  温度センサー
【図１】
2011052837.tif 000003
【図２】
2011052837.tif 000004
【図３】
2011052837.tif 000005
【図４】
2011052837.tif 000006
【図５】
2011052837.tif 000007
【図６】
2011052837.tif 000008